(57)【要約】【課題】ツララや雪庇やシガ漏り及び竪樋の凍結を解消する雨樋融雪装置において、熱損失を抑えて放熱バランスを均等にすることにより、施工も簡単かつ低コストで、ランニングコストも安い融雪技術を提供することを目的とする。【解決手段】本発明の雨樋による融雪装置は、屋根からの雨水を受ける軒樋と、軒樋の上方開口部を塞ぎ暖気を２次的に対流させる軒樋カバーと、軒樋カバーの内側に暖気を１次的に対流させる対流カバーと、前記軒樋に接続され雨水を排水する竪樋と、竪樋に暖気を供給する熱風発生装置とから構成される。冷たい空気が熱風発生装置を通過することにより暖気となり竪樋を介して軒樋に流れていく。軒樋に流入した暖気は対流カバーの中を対流して軒樋底部に行き渡り、さらに軒樋カバーと軒樋で作られた空間に広がり、軒樋カバーの雨水入口より暖気の吹き出しが起こる。その暖気の吹き出しにより融雪が起こり屋根のツララや雪庇が出来なくなる。【選択図】図１
2008175047.tif 000002
【特許請求の範囲】
【請求項１】
雪国の屋根におけるツララや雪庇及び竪樋の凍結を解消する融雪装置において、屋根からの雨水を受ける軒樋と、軒樋の底部に被せ暖気を1次的に対流させる対流カバーと、軒樋の上方開口部を塞ぎ外から軒樋へのゴミの侵入を防止し、かつ暖気を２次的に対流させる軒樋カバーと、竪樋に接合され暖気を供給する熱風発生装置とから構成されることを特徴とする雨樋融雪装置。
【請求項２】
請求項１の軒樋の底部に被せられた対流カバーにおいて、内側に樋ヒーターを装着した対流カバーを装着することが出来ることを特徴とする雨樋融雪装置。
【請求項３】
請求項１の軒樋の底部に被せられた対流カバーの形状において、側面の下部には雨を集水し暖気を排気する孔があり、その孔の形状は長方形で、高さは５mm程度かそれ以下でかつ最低限埃が溜まることのない程度の高さで、横の長さは雨水の飲み込みに充分な断面積が取れる長さの孔のあるカバーであることを特徴とする雨樋融雪装置。孔の形状は埃がたまらなければ裾広がりの台形あるいは半楕円形でも良い。
【請求項４】
請求項３対流カバーの内側に遮熱材または断熱材を張り付け孔以外からの放熱や熱損失を抑えた対流カバーであることを特徴とする雨樋融雪装置。
【請求項５】
請求項１の軒樋の底部に被せられたカバーにおいて、側面の下部の孔が、竪樋や請求項２の樋ヒーターに近い位置では各孔の断面積の小さいカバーが、竪樋や樋ヒーターから遠い位置には、各孔の断面積の大きいカバーが装着されたことを特徴とする雨樋融雪装置。
【請求項６】
請求項１の軒樋の底部に被せられたカバーにおいて、側面の下部の孔が、竪樋や請求項２の樋ヒーターに近い位置では孔の数の少ないカバーが、竪樋や樋ヒーターから遠い位置では孔の数の多いカバーが装着されたことを特徴とする雨樋融雪装置。
【発明の詳細な説明】
【技術分野】
【０００１】
本発明は雪国の屋根の軒先に発生するツララや雪庇を未然に防ぐと同時に、竪樋の凍結を防止する雨樋による融雪装置に関するものである。
【背景技術】
【０００２】
特許文献１では氷結防止のために樋の中に発熱体を入れてある。特許文献２では樋の下に温風の通風層があり、雨樋上部から暖かい空気吹き出して雨樋の雪を溶かす。特許文献３では居室内暖気をダクトとカバーを使って無落雪屋根の横樋の融雪を促す。特許文献４ではドレンパイプヒーターの熱を使って折板屋根の融雪が行われる。また、本出願人が考案した雨樋による融雪装置が公知となっている。（特許文献５）
【特許文献１】特開２００２−２９４９４７
【特許文献２】特開平１１−３２４２５６
【特許文献３】特開平０８−２８４３４２
【特許文献４】特開２００６−２９１５４９
【特許文献５】実登３１２４３９８
【発明の開示】
【発明が解決しようとする課題】
【０００３】
屋根の雪害は軒先の雪庇やツララを防ぐことによって、８割以上が解決する。また従来の電気ヒーターやお湯など熱による融雪はエネルギーコストが高い。既存の雨樋を使って温風を対流させる方式は雨樋の凍結を目的としたものであり、軒先の融雪までは目的としていない。本発明は雨樋の凍結やツララの防止のみならず、軒先の融雪やシガ漏り防止、さらには竪樋の凍結防止において、簡単かつ低コストの施工で、かつランニングコストも安い技術の提供を目的とする。本出願人が考案した雨樋カバーを使った方法では、放熱のバランスや熱損失に対する対応が充分とはいえない。本発明は雨樋を使った融雪における熱損失の抑制と放熱のバランスの問題を改善し、さらに効率よくその機能を発揮するものである。
【課題を解決するための手段】
【０００４】
本発明の雨樋による融雪装置は、屋根からの雨水を受ける軒樋と、軒樋の上方開口部を塞ぎ暖気を２次的に対流させる軒樋カバーと、軒樋カバーの内側に暖気を１次的に対流させ、内側に遮熱材が貼られていて側面に集水孔がある対流カバーと、前記軒樋に接続され軒樋からの雨水を集めて排水する竪樋と、竪樋に暖気を供給する熱風発生装置とから構成される。必要に応じて軒樋ヒーターが組み込まれた対流カバーも取り付けることが出来る。
吸気口からファンで吸い込まれた冷たい空気が、熱風発生装置を通過することにより暖気となり、竪樋の凍結を防止するとともに竪樋を介して軒樋に流れていく。軒樋に流入した暖気は軒樋底部に被せられた対流カバーの中を対流して軒樋底部に行き渡り、さらに対流カバーの集水孔から、軒樋カバーと軒樋で作られた空間に広がり、軒樋カバーの雨水入口より暖気の吹き出しが起こる。その暖気の吹き出しにより融雪が起こり、屋根のツララや雪庇が出来なくなる。対流カバーは竪樋や軒樋ヒーターに近い箇所には集水孔の長さが短いもの、竪樋や軒樋ヒーターから離れた箇所には集水孔の長さが長いものと使い分けをして放熱のバランスをとる。竪樋からの熱が不十分な場合は、軒樋ヒーターの付いた対流カバーを取り付け補助的に熱の供給を行う。なお本発明で使用する軒樋ヒーター及び熱風発生装置の発熱体は、１００ボルトで電気使用量の少ないヒーターを使用する。  
【発明の効果】
【０００５】
本発明により軒先に雪庇やツララが出来なくなり、シガ漏りも発生しなくなる。また暖気を竪樋から取り込むことで、竪樋の凍結を同時に防止する。本発明は市販の雨樋を活用するため施工も簡単で従来の方法と比べると施工コストがかからない。また既存の雨樋に施工できるのでリフォームが簡単である。電圧も１００ボルトで特別な電気契約の必要が無い。温風を発生させる場所だけスポットで電気を使用するだけで特別高温にする必要が無いため電気代も少なくてすむ。
【発明を実施するための最良の形態】
【０００６】
本発明の融雪装置の実施例を添付図面に基づいて、以下に説明する。
図２に示すように、本発明の雨樋融雪装置は、屋根からの雨水を受ける軒樋1と、軒樋１の上方開口部を塞ぎ暖気を２次的に対流させる軒樋カバー３と、図３で示すように、軒樋カバー３の内側に暖気を１次的に対流させる対流カバー４と、図１で示すように、軒樋１に集水器７で接続され軒樋１からの雨水を集めて雨水出口１０から排水する竪樋２と、竪樋２に暖気を供給する熱風発生装置６とから構成される。
【０００７】
前記軒樋１は、合成樹脂製の上方開口状で幅が１０５ｍｍの半円筒体からなり、図３で示すように開口両側部の口縁８を断面円形に形成しており、また図２に示すように竪樋２との接続を行う集水器７を有する軒樋１を少なくとも一つ設ける。軒樋１の材質は樹脂製に限らずまたその形状は半円筒に限らない。
【０００８】
図４で示す対流カバー４は幅６０ｍｍ、高さ３０ｍｍのコの字形の鋼板１６と鋼板１６の内部には貼られ、熱の損失を抑えている遮熱材１１で構成される。遮熱材１１はリフレクティクスを使用する。またで示す集水孔は長さ５０ｍｍ高さ１０ｍｍの長方形とする。集水孔１２の形状は長方形に限らず図５で示すような形状でも良い。
【０００９】
図６、図７で示すとおり対流カバー内部の天井部分に軒樋ヒーター１３の付いたヒーター付き対流カバー５もあり、横樋が長くて暖気が端まで充分行き渡らない時には、ヒーター付き対流カバー５を取り付ける。図６で示すように軒樋ヒーター１３は巾４０ｍｍ外高さ１０ｍｍ肉厚３ｍｍのアルミ角パイプ１４に遮熱材１１を上部に貼り付け、アルミ角パイプ１４の中には発熱体１５を内蔵している。側面は図７のような形状で長さは８００ｍｍである。軒樋ヒーター１３は内カバーの天井に固定する。軒樋ヒーター１３の発熱体１５は、１００ボルトのＰＴＣセラミックヒーターで、ヒーター付き対流カバー５の常温で天井外側の温度が４０度程度から上限５０度程度になるものを使用する。
【００１０】
図１０で示すように集水器７やヒーター付き対流カバー５に近い位置には図８のような集水孔１２のピッチが１５０ｍｍの対流カバーを装着し、集水器７やヒーター付き対流カバー５から遠い位置には図９のような集水孔１２のピッチが１００ｍｍの対流カバーを装着し放熱のバランスを良くする。
【００１１】
図１１で示すように熱風発生装置６の吸気孔２２から入った空気が、吸気口２１よりファン２３により引き込まれ、耐熱樹脂性の支持板２７で固定された発熱体２４を通過して暖かい空気となり、接続管２６から竪樋２へ供給される。また異常電流が流れた場合に通電を停止するため、電気コード２５にヒューズ２８が取り付けられている。発熱体２４のヒーターは、１００ボルトのＰＴＣセラミックヒーターである。電気コード２５は電源ボックス３０内部の電気スイッチに繋がれ、通電は温度センサー３１で制御される。
【図面の簡単な説明】
【００１２】
【図１】本発明の雨樋融雪装置を示す正面図
【図２】本発明の軒樋の正面図
【図３】本発明の軒樋の断面図
【図４】対流カバーの断面図
【図５】対流カバー集水孔の形状
【図６】ヒーター付き対流カバーの断面図
【図７】ヒーター付き対流カバーの側面図
【図８】集水孔のピッチが長い対流カバーの側面図
【図９】集水孔のピッチが短い対流カバーの側面図
【図１０】対流カバーの取り付け図
【図１１】熱風発生装置の詳細図
【符号の説明】
【００１３】
１  軒樋
２  竪樋
３  軒樋カバー
４  対流カバー
５  ヒーター付き対流カバー
６  熱風発生装置
７  集水器
８  口縁
９  雨水入口
１０  雨水出口
１１  遮熱材
１２  集水孔
１３  軒樋ヒーター
１４  アルミ角パイプ
１５  発熱体
１６  鋼板
２１  吸気口
２２  吸気孔（収納ボックスの孔）
２３  ファン
２４  発熱体
２５  電気コード
２６  接続管
２７  支持板
２８  ヒューズ
２９  電源ボックス
３０  温度センサー
【図１】
2008175047.tif 000003
【図２】
2008175047.tif 000004
【図３】
2008175047.tif 000005
【図４】
2008175047.tif 000006
【図５】
2008175047.tif 000007
【図６】
2008175047.tif 000008
【図７】
2008175047.tif 000009
【図８】
2008175047.tif 000010
【図９】
2008175047.tif 000011
【図１０】
2008175047.tif 000012
【図１１】
2008175047.tif 000013